(57)【要約】【課題】  表示パネルとパネルフレームに公差があっても、表示装置の組立時に、容易に表示パネルの位置決めが可能な表示装置を提供する。【解決手段】  液晶表示装置は、液晶表示パネル１０と、液晶表示パネルの外周１０ｄの一部を囲むパネルフレーム２０と、液晶表示パネル１０の外周１０ｄの一部とパネルフレーム２０との間に弾性力を有するＯリング３０を備えた。パネルフレーム２０の保持壁２２の内壁２２ａ、外壁２２ｂに沿ってＯリング３０が配置される。【選択図】  図２
2007225900.tif 000002
【特許請求の範囲】
【請求項１】
画像を表示する表示パネルと、
前記表示パネルの外周の少なくとも一部を囲むパネルフレームを備える表示装置において、
前記表示パネルの外周と前記パネルフレームとの間に弾性部材を備えたことを特徴とする表示装置。
【請求項２】
前記パネルフレームには、前記表示パネルの外周を囲む保持壁が形成されており、
前記保持壁は、前記表示パネルの外周と対面する内壁と、前記表示パネルの外周と対面しない外壁と、を有し、
前記内壁と前記外壁に沿って前記弾性部材が配置されることを特徴とする請求項１に記載の表示装置。
表示装置。
【請求項３】
前記弾性部材は一体に形成され、
前記保持壁には、前記内壁側と前記外壁側とを貫通する貫通路が形成されており、
前記弾性部材は、前記貫通路を介して、前記内壁側と前記外壁側とで交互に配置されることを特徴とする請求項２に記載の表示装置。
【請求項４】
前記パネルフレームには、前記表示パネルを保持するパネル保持部と前記表示パネルを前記パネル保持部に着脱可能とするための開口が形成されており、
前記表示パネルが前記パネルフレームに装着された状態で、前記弾性部材が前記表示パネルの前記開口側に配置されることを特徴とする請求項１から３のいずれか一項に記載の表示装置。
【発明の詳細な説明】
【技術分野】
【０００１】
本発明は、画像を表示する表示パネルを備えた表示装置に関する。
【背景技術】
【０００２】
従来の表示装置は、画像を表示する表示パネルを備えており、時計、携帯電話、オーディオ、電子機器等、各種の装置に用いられている。また、この表示装置としては、液晶表示装置を代表として、ＥＬディスプレイや、プラズマディスプレイ、電子ペーパー、電界放出ディスプレイなど、多種多様の装置が挙げられる。この種の表示装置では、その外周を囲むようにして表示パネルがパネルフレームに装着され、表示パネルがパネルフレームとともに表示装置に組み立てられる（例えば、特許文献１参照）。
【０００３】
表示装置として液晶表示装置を一例として挙げると、図８に示すように、液晶表示装置９００は、液晶表示パネル９１０と、パネルフレーム９２０とを備えており、液晶表示パネル９１０の外周がパネルフレーム９２０に囲まれている。尚、この液晶表示パネル９１０は、液晶表示素子や、導光板などが含まれており、このような液晶表示パネル９１０の背後には光源が配置される構成が一般的である。また、パネルフレーム９２０は、図９に示すように、表示パネル９１０との間に公差９３０が設けられるように形成されており、表示パネル９００のサイズ自体の公差や、表示パネル９１０をパネルフレーム９２０に着脱自在とすることが考慮されている。
【特許文献１】特開２００５−１８９７５０号公報
【発明の開示】
【発明が解決しようとする課題】
【０００４】
しかしながら、上述の表示装置では、表示パネルとパネルフレームに公差があるため、表示装置の組立時に表示パネルがある方向に偏って組み立てられることがあり、表示パネルの精密な位置決めは容易ではなく、表示パネルの位置が定まらないおそれがあった。また、更に表示装置の使用時においては、表示パネルがパネルフレームに衝突するおそれもあった。
【０００５】
本発明は、上述したような課題に鑑みてなされたものであり、表示パネルとパネルフレームとの公差があっても、表示装置の組立時において、容易に表示パネルの位置決めが可能な表示装置を提供することを目的とする。
【課題を解決するための手段】
【０００６】
そこで、本発明は、表示パネルと、表示パネルの外周の一部又は全部を囲むパネルフレームを備えた表示装置に関し、表示パネルとパネルフレームの間に弾性力を有する弾性部材を設けることとした。さらに、パネルフレームに表示パネルの外周を囲む保持壁を形成し、保護壁の内壁と外壁とに沿って弾性部材を配置する構成とした。さらに、弾性部材を一体的に形成し、保持壁に内壁側と外壁側を貫通する貫通路を設け、弾性部材が貫通路を介して内壁側と外壁側に交互に配置することとした。
【発明の効果】
【０００７】
この発明によれば、表示パネルとパネルフレームとの公差があっても、表示装置の組立時においては、表示パネルの位置決め精度を向上させるとともに、容易に表示パネルを位置決めすることができる。
【発明を実施するための最良の形態】
【０００８】
以下に、本発明の表示装置を説明する。尚、以下に説明する実施形態では、本発明を液晶表示装置に適用した場合を図面に基づいて説明する。
【０００９】
図１は液晶表示装置の外観を示す斜視図であり、図２はその分解斜視図である。液晶表示装置１００は、フレキシブル基板１１が接続された液晶表示パネル１０がパネルフレーム２０内に設けられ、パネルフレームに沿ってＯリング３０が設けられた構成である。ここで、液晶表示パネル１０は液晶を挟んで対向する一対の基板と光学素子等で構成される非自発光型の表示素子である。暗所での視認性を向上させるために、液晶表示パネルの近傍には、ＬＥＤなどの光源が配置されている。また、液晶表示パネル１０には駆動信号を供給するためのフレキシブル基板１１が接続されている。
【００１０】
また、液晶表示パネル１０は、図２に示すように、画像を表示する表示領域１０ａと、フレキシブル基板１１等が実装される非表示領域１０ｂを有する。表示領域１０ａは、対向する基板内面にそれぞれ設けられた電極で構成された表示画面部と、表示画面部の周囲の非表示画面部がある。非表示画面部には。液晶を封入するためのシール材が存在し、画面表示自体は行わない。また、表示領域１０ａは大きさの異なる一対の基板で形成されているが、非表示領域１０ｂは大きいほうの基板上に存在する。したがって、表示領域１０ａのほうが非表示領域１０ｂに比べて厚くなっており、それらの境界は段部１０ｃが形成されている。尚、詳しく後述するが、液晶表示パネル１０は、その外周１０ｄがパネルフレーム２０における保持壁２２の内壁２２ａに対面するように配置される。また、この段部１０ｃの壁面に当接するようにＯリング３０が配置されることとなる。
【００１１】
パネルフレーム２０は、図２に示すように、上述した液晶表示パネル１０の底面を支持するとともに、液晶表示パネル１０の外周１０ｄの一部を囲む枠体である。このパネルフレーム２０は、フレーム本体２１と、フレーム本体２１から上方に向かって凸形状である保持壁２２と、フレーム本体２１から内方の延びる底板２３を含む構成である。また、フレーム本体２１、保持壁２２、底板２３は一体に形成されている。尚、ここでは液晶表示パネル１０の外周の１０ｄ一部を囲むようにパネルフレーム２０を形成したが、これに限らず、例えば、液晶表示パネル１０の外周１０ｄの全部を囲むようにパネルフレームを形成してもよい。
【００１２】
フレーム本体２１は矩形状の枠体であり、その上方に向かって保持壁２２が一体に形成されている。また、このフレーム本体２１にはその底面側に底板２３が一体に形成されている。液晶表示パネル１０の平面方向を保持する保持壁２２と厚さ方向を保持する底板２３は、パネル保持部２５を構成している。このパネル保持部２５の上方に形成された開口２６から液晶表示パネル１０は着脱可能である。つまり、パネルフレーム２０には、液晶表示パネル１０を保持するパネル保持部２５と、液晶表示パネル１０をパネル保持部２５に着脱可能とするための開口２６が形成されている。尚、本実施例では、パネルフレーム２０の底面には底板２３が形成されているため、液晶表示パネル１０を下方からパネル保持部２５に着脱することは不可能である。
【００１３】
保持壁２２は、フレーム本体２１から上方に向かって凸形状に形成されており、液晶表示パネル１０の外周１０ｄの一部を囲む（覆う）機能を有する。この保持壁２２には、液晶表示パネル１０の外周１０ｄの一部と対面する内壁２２ａと、液晶表示パネル１０の外周１０ｄと全く対面しない外壁２２ｂとが含まれている。つまり、パネルフレーム２０には、液晶表示パネル１０の外周１０ｄの一部を囲む保持壁２２が形成されており、その保持壁２２は、液晶表示パネル１０の外周１０ｄの一部と対面する内壁２２ａと液晶表示パネル１０の外周１０ｄと対面しない外壁２２ｂとを有している。
【００１４】
また、この保持壁２２には、切欠き２４ａから２４ｋが形成されている。切欠き２４ａから２４ｆは、詳しく後述するＯリング３０を、内壁２２ａ側から外壁２２ｂ側へ、外壁２２ｂ側から内壁２２ａ側へ配置させるために形成されている。また、切欠き２４ｇ及び２４ｈは、一方の外壁２２ｂから他方の外壁２２ｂまで開口２６を跨いでＯリング３０を配置させるために形成されている。特に、これら切欠き２４ｇ及び２４ｈは、液晶表示パネル１０の段部１０ｃの壁面と並設されており、液晶表示パネル１０の段部１０ｃの壁面にＯリング３０を配置させる位置に形成されている。また、切欠き２４ｇ及び２４ｈは、Ｏリング３０を急な角度で外壁２２ｂに沿って周回させないために形成されている。このように、保持壁２２には、内壁２２ａ側と外壁２２ｂ側とを貫通する切欠き２４ａから２４ｊが形成されており、切欠き２４ａから２４ｊを介して、Ｏリング３０が、内壁２２ａ側と外壁２２ｂ側とで交互に配置されることとなる。尚、本実施形態においては、これら切欠き２４ａから２４ｊは、貫通路の一例に相当する。また、切欠き２４ｋは、フレキシブル基板１１を外部に向かって配置するために形成されている。
【００１５】
また、図４に保持壁２２を拡大した断面図を示す。図４（Ａ）及び図４（Ｂ）に示すように、保持壁２２にはＯリング３０を保持する半円形状の溝２７が形成されている。この溝２７にはＯリング３０が当接し、その弾性力によって溝２７の壁面をＯリング３０が押圧することになり、Ｏリング３０は着脱自在に保持される。保持壁２２の内壁２２ａにＯリング３０が配置される位置には、図４（Ａ）に示すように、内壁２２ａに溝２７が形成され、保持壁２２の外壁２２ｂにＯリング３０が配置される位置には、図４（Ｂ）に示すように、外壁２２ｂに溝２７が形成される。また、溝２７のサイズは、Ｏリング３０の径とほぼ同じサイズに形成されている。尚、溝２７はＯリング３０を保持する弾性部材保持部の一例に相当する。
【００１６】
このように、パネルフレーム２０（保持壁２２）には、Ｏリング３０を保持する溝２７が形成されている。従って、液晶表示パネル１０の組立時においてＯリング３０を容易に位置決めすることができる。また、Ｏリング３０がパネルフレーム２０から外れ難くすることができるため、例えば、液晶表示パネル１０の組立時においては、手をＯリング３０から外し、液晶表示パネル１０を取り付けるなど、液晶表示装置１００を容易に組み立てることができ、液晶表示装置１００の使用時においては、Ｏリング３０の位置がずれることを防止することができる。
【００１７】
尚、ここでは、溝２７のサイズがＯリング３０の径とほぼ同じサイズに形成されているが、これに限らず、例えば、図４（Ｃ）に示すように、溝２８のサイズがＯリング３０の径よりもやや大きいサイズに形成されていてもよい。この場合には、液晶表示パネル１０がパネルフレーム２０に装着されたときに、溝２８に収まるＯリング３０の容積が大きくなる。また、逆に、溝のサイズがＯリング３０の径よりもやや小さいサイズに形成されていてもよい。この場合には、液晶表示パネル１０がパネルフレーム２０に装着されたときに、溝に収まるＯリング３０の容積が小さくなる。このように、溝のサイズは、液晶表示パネル１０とパネルフレーム２０との公差に関係して決定されることとなる。また、ここでは、半円形状の溝２７を形成したが、これに限らず、例えば、図４（Ｄ）に示すようなＶ字形状の溝３１でもよい。また、例えば、図４（Ｅ）及び図４（Ｆ）に示すように、保持壁１２２に矩形状の切欠き１２７及び１２８を形成してもよい。この場合、図４（Ｅ）に示すように、上方に対して閉状態である切欠き１２７であっても、図４（Ｆ）に示すように、上方に対して開状態である切欠き１２８であってもよい。
【００１８】
底板２３は、図２に示すように、フレーム本体２１から内方の延びるように形成されており、液晶表示パネル１０の底面を支持することによって、液晶表示パネル１０を保持することとなる。また、この底板２３は、液晶表示パネル１０を下方からパネル保持部２５に着脱不可能とする。Ｏリング３０は、図２に示すように、一体に形成され、弾性力を有するＯ字形状のゴムであり、弾性部材の一例に相当する。このＯリング３０は、図３に示すように、上述したパネルフレーム２０における内壁２２ａと外壁２２ｂとに沿って配置される。尚、発明の理解を容易とするために、図３を概略化した図５を用いて以下に説明する。
【００１９】
このＯリング３０は、図５に示すように、上述したパネルフレーム２０の保持壁２２における切欠き２４ａから２４ｆを介して、内壁２２ａと外壁２２ｂとで交互に配置されることとなる。即ち、Ｏリング３０は、上述したパネルフレーム２０における内壁２２ａの一部と外壁２２ｂの一部とに当接するように配置されることとなる。従って、一体に形成されたＯリング３０が切欠き２４ａから２４ｆを介して内壁２２ａ側と外壁２２ｂ側とで交互に配置可能となるとともに、液晶表示装置１００の部品点数の増加を防止することができる。また、切欠き２４ａから２４ｆを介して内壁２２ａ側と外壁２２ｂ側とに交互にＯリング３０が配置されるため、Ｏリング３０をパネルフレーム２０に対して安定させることができる。言い換えると、Ｏリング３０は、パネルフレーム２０における内壁２２ａの一部、外壁２２ｂの一部に沿ってＯリング３０が配置されることとなる。従って、液晶表示パネル１０の外周１０ｄの一部と対面する内壁２２ａのみならず、液晶表示パネル１０の外周１０ｄと対面しない外壁２２ｂにもＯリング３０が配置されるため、液晶表示パネル１０の外周１０ｄとパネルフレーム２０との間だけでなく、パネルフレーム２０とその他の部材との間において公差があっても、液晶表示装置１００の組立時において、容易にパネルフレーム２０やその他の部材などを位置決めすることができる。また、液晶表示装置１００の使用時においては、パネルフレーム２０とその他の部材との安定化を図り、パネルフレーム２０とその他の部材との位置のずれを防止することができるとともに、パネルフレーム２０とその他の部材との衝突を防止し、液晶表示パネル１０やパネルフレームを２０保護することができる。
【００２０】
また、このＯリング３０は、開口２６を跨いで、液晶表示パネル１０の非表示領域１０ｂの上面と、液晶表示パネル１０の段部１０ｃの壁面に当接するように配置されている。つまり、Ｏリング３０は、液晶表示パネル１０がパネルフレーム２０に装着されている場合に、液晶表示パネル１０の開口２６側に当接するように配置される。従って、パネルフレーム２０におけるパネル保持部２５に液晶表示パネル１０が装着されている場合であっても、Ｏリング３０が液晶表示パネル１０の開口２６側に配置されるため、Ｏリング３０によって、液晶表示パネル１０とパネルフレーム２０との安定化を図り、液晶表示パネル１０が開口２６から脱することを防止することができる。また、例えば、図６（Ａ）に示すように、液晶表示パネル１０からフレキシブル基板１１などが引き出されており、図６（Ｂ）に示すように、フレキシブル基板１１が折り曲げられる場合には、このようなフレキシブル基板１１の弾性力によって、液晶表示パネル１０がパネルフレーム２０から浮き上がるおそれがあるため、Ｏリング３０が液晶表示パネル１０の開口２６側に配置されることによって、液晶表示パネル１０が浮き上がることを防止することができる。尚、図６は、液晶表示パネル１０やフレキシブル基板１１などを含む液晶表示装置１００を側方から見た説明図である。また、図６は、発明の理解を容易とするためにパネルフレーム２０の切欠き等を省略した図である。
【００２１】
このような液晶表示装置１００の組立手順について以下に説明する。最初に、パネルフレーム２０にＯリング３０を配置する。具体的な一例としては、開口２６を跨ぐように、切欠き２４ｇ及び２４ｈの壁面に引っ掛けて、Ｏリング３０を、外壁２２ｂに沿って配置する。そして、Ｏリング３０を切欠き２４ａから２４ｆに通過させ、切欠き２４ａ及び２４ｂの間、切欠き２４ｃ及び２４ｄの間、切欠き２４ｅ及び２４ｆの間のそれぞれにおいては、内壁２２ａに沿って、Ｏリング３０を配置させる。これによって、Ｏリング３０は切欠き２４ａから２４ｆを介して内壁２２ａ側と外壁２２ｂ側で交互に配置されることとなる。また、Ｏリング３０を配置させる保持壁２２（内壁２２ａ及び外壁２２ｂなど）には溝２７が形成されているため、その溝２７に沿ってＯリング３０が配置させ易い構成となっている。
【００２２】
このように、パネルフレーム２０にＯリング３０が装着された後には、開口２６を跨いで配置されたＯリング３０の干渉をさけて、液晶表示パネル１０を開口２６からパネル保持部２５に装着させる。この場合は、液晶表示パネル１０の底面と底板２３とが当接するとともに、保持壁２２の内壁２２ａに沿って配置されたＯリング３０の一部と、液晶表示パネル１０の外周１０ｄの一部とが当接することによって、パネルフレーム２０が保持される。このように、Ｏリング３０は、液晶表示パネル１０の外周１０ｄの一部とパネルフレーム２０との間に配置されることとなる。従って、液晶表示パネル１０とパネルフレーム２０との公差により生じる隙間２９があっても、その液晶表示パネル１０の外周１０ｄの一部とパネルフレーム２０との間に弾性力を有するＯリング３０が設けられることによって、液晶表示装置の組立時に、表示パネルの位置決め精度を向上させるとともに、容易に液晶表示パネル１０を位置決めすることができる。また、液晶表示装置の使用時においては、液晶表示パネル１０とパネルフレーム２０との安定化を図り、液晶表示パネル１０とパネルフレーム２０との位置のずれを防止することができるとともに、液晶表示パネル１０とパネルフレーム２０との衝突を防止し、表示パネルを保護することができる。
【００２３】
尚、本実施例では、Ｏリング３０を当接させる保持壁２２に溝２７を形成したが、これに限らず、例えば、保持壁２２に溝２７を形成しなくても問題ない。また、液晶表示パネル１０がパネルフレーム２０に装着されている場合に、液晶表示パネル１０の上面や、段部１０ｃに当接するように、液晶表示パネル１０の開口２６側にＯリング３０を配置させたが、これに限らず、液晶表示パネル１０の上面や、段部１０ｃに当接させないようにＯリング３０を配置してもよい。また、例えば、開口２６を跨ぐことなく、Ｏリング３０を内壁２２ａや外壁２２ｂに沿って配置させてもよい。
【００２４】
更にまた、一体に形成されたＯリング３０を、切欠き２４ａから２４ｆを介して、内壁２２ａ側と外壁２２ｂ側とで交互に配置させたが、これに限らず、例えば、切欠きを設けることなく、内壁２２ａ側と外壁２２ｂ側とで交互させずにＯリング３０を配置させてもよい。この場合は、図７（Ａ）及び図７（Ｂ）に示すように、切欠きが形成されていないパネルフレーム３２０の内壁２２ａにおける全内周に沿ってＯリング３３０を配置させ、その液晶表示パネル３１０とパネルフレーム３２０との間にＯリング３３０が配置されるようにしてもよい。また、Ｏリング３０は、一体に形成されていなくてもよく、例えば、内壁２２ａに沿って配置されるＯリングと、外壁２２ｂに沿って配置されるＯリングと、を別体に設けてもよい。もちろん、内壁２２ａに沿って別体のＯリング自体を複数配置してもよい。また、外壁２２ｂに沿って別体のＯリング自体を複数配置してもよい。また、Ｏリング３０自体を外壁２２ｂに沿って配置しないようにしてもよい。
【００２５】
更に、Ｏリング３０の断面を円形としたが、これに限らず、例えば、Ｏリングの断面を四角形としてもよい。また、本実施形態においては、Ｏリング３０は、主に、ポリカードネイトで形成されているが、弾性力を有する材質であればこれに限らない。また、液晶表示装置を表示装置の一例として説明したが、画像を表示する表示装置であれば、液晶表示装置に限らず、例えば、ＥＬディスプレイや、プラズマディスプレイ、電子ペーパー、電界放出ディスプレイなどに採用してもよい。
【図面の簡単な説明】
【００２６】
【図１】本発明の液晶表示装置の概観を示す外観図である。
【図２】本発明の液晶表示装置の概観を示す分解斜視図である。
【図３】本発明の液晶表示装置の概観を示す外観図である。
【図４】本発明の液晶表示装置の概観を示す外観図である。
【図５】本発明の液晶表示装置の概観を示す説明図である。
【図６】本発明の液晶表示装置の概観を示す説明図である。
【図７】本発明の液晶表示装置の概観を示す説明図である。
【図８】従来の液晶表示装置の概観を示す分解斜視図である。
【図９】従来の液晶表示装置の概観を示す説明図である。
【符号の説明】
【００２７】
１０    液晶表示パネル
１０ａ  表示領域
１０ｂ  非表示領域
１０ｃ  段部
１０ｄ  外周
２０    パネルフレーム
２１    フレーム本体
２２    保持壁
２３    底板
２４    切欠き
２５    パネル保持部
２６    開口
２７    溝
３０    Ｏリング
【図１】
2007225900.tif 000003
【図２】
2007225900.tif 000004
【図３】
2007225900.tif 000005
【図４】
2007225900.tif 000006
【図５】
2007225900.tif 000007
【図６】
2007225900.tif 000008
【図７】
2007225900.tif 000009
【図８】
2007225900.tif 000010
【図９】
2007225900.tif 000011